(57)【要約】本発明は容器用の蓋装置に関する。本発明に係る装置は、壜（Ｂ）の首部（Ｇ）の内径表面（Ｇ２）に押し当て可能な内部スカート（２４）を備えるカバー（２）を有する。カバー（２）の基部（２３）には、一つ以上の所定の気体に対して不透過性の材料から成る第一層（５）と、第一層を覆い一つ以上の気体を吸収可能な材料、好ましくは酸素吸収材料から成る第二層（６）と、が設けられている。
2005519817.tif 000002
【特許請求の範囲】
【請求項１】
首部を備える容器用の蓋装置であって、
前記装置は、前記装置が設けられる前記首部（Ｇ）の内表面（Ｇ2）に径方向に当接するための内部スカート（２４；１２４）が設けられた栓（２；１０２）を有し、前記栓（２；１０２）の基部（２２；１２２）の部位には一つ以上の所定の気体に対して不透過性の材料から成る第一層（５；１０５）と、一つ以上の所定の気体を吸収するための材料から製造される第二層（６；１０６）と、を有しており、
前記第一層及び第二層（５、６；１０５、１０６）は前記栓の基部（２２；１２２）に対して一方（６、１０５）が他方（５、１０６）を覆うように配置されることを特徴とする装置。
【請求項２】
請求項１に記載の装置であって、
前記第一層及び第二層（５、６；１０５、１０６）は、少なくとも前記スカート（２４；１２４）の半径方向内側に配置される前記基部（２２；１２２）の一部（Ｚ26）の部位に広がっていることを特徴とする装置。
【請求項３】
請求項１又は２に記載の装置であって、前記第一層及び第二層（５、６）は前記基部（２２）の内表面（２３）上に固着され、前記第二層は前記第一層を覆うことを特徴とする装置。
【請求項４】
請求項３に記載の装置であって、
前記内表面（２３）には前記第一層及び前記第二層（５、６）を受け入れるための体積を画定するリブ（２６）が設けられていることを特徴とする装置。
【請求項５】
請求項１に記載の装置であって、
前記第一層（１０５）は前記基部（１２２）の外表面（１２８）上に形成される一方で、前記第二層（１０６）は前記基部の内表面（１２３）上に形成され、前記第一層（１０５）は前記基部（１２２）が中間介在されて前記第二層（１０６）を覆うことを特徴とする装置。
【請求項６】
請求項１から５に記載のいずれかの装置であって、
前記第二層（６；１０６）は前記スカート（２４；１２４）の半径方向内側に配置されることを特徴とする装置。
【請求項７】
請求項１から６に記載のいずれかの装置であって、
前記第一層及び第二層（５、６；１０５、１０６）は異なる材料で形成されることを特徴とする装置。
【請求項８】
請求項１から７に記載のいずれかの装置であって、
前記第一層（５；１０５）は、ポリ塩化ビニル（ＰＶＣ）、ポリ塩化ビニリデン（ＰＶＤＣ）、エチレンビニルアルコール（ＥＶＯＨ）、ポリアミド（ＰＡ）、ポリエチレンナフタレート（ＰＥＮ）、ポリビニルアルコール（ＰＶＡ）、ポリアクリルニトリル系アクリラート共重合体（ＰＮＡ）、ポリメタクリル酸メチル（ＰＰＭＡ）、ブタジエン共重合体、スチレン、二軸延伸ポリプロピレン（ＢＯＰＰ）、又はこれらの製品に基づいた混合物から製造されることを特徴とする装置。
【請求項９】
請求項１から７に記載のいずれかの装置であって、
前記第一層（５；１０５）は酸化ケイ素、ワニス、又はラッカーを有するか、又は金属被覆によって製造されることを特徴とする装置。
【請求項１０】
液体用の容器、特にプラスチック材料で製造された壜（Ｂ）であって、
請求項１から９のいずれか一つの蓋装置（１；１０１）を備える容器。
【発明の詳細な説明】
【技術分野】
【０００１】
本発明は、容器を密閉するための装置及びかかる装置を備える容器に関する。
【背景技術】
【０００２】
飲料用の壜のような液体用の容器を製造するために、プラスチック材料を押出／ブロー成形又は射出／ブロー成形することが知られている。そのような壜に、プラスチック材料で同様にして製造される栓を備えつけることが知られている。そのような容器は、それに入れられる製品の長期保存が可能となるように、密封して閉じられることが不可欠である。例えば英国特許第２０１３６３５号公報（ＧＢ−Ａ−２０１３６３５）によれば、満足のいくシール性を確保するために、壜の首部の内表面に径方向に緊密に当接するように意図される環状スカートを設けることが知られている。
【０００３】
しかし、炭酸飲料を入れる壜に用いられる場合、二酸化炭素（ＣＯ2）が放出される可能性があり、壜の首部において圧力の増加を招きかねない。例えば米国特許第４２７９３５０号公報（ＵＳ−Ａ−４２７９３５０）によれば、栓の内表面上に、酸素を吸収する製品（いわゆる「酸素捕捉材」）を配置することが知られている。現在までのところ、そのような酸素吸収材料を使用することによって栓を壜の首部に対して全体的に緊密にすることが可能であり、シール用のスカートは不要であると考えられている。
【０００４】
さらに、米国特許出願公開第２００２／００００４２０号（ＵＳ−Ａ−２００２／００００４２０）によると、栓の表面と同じ表面上の二箇所の離間された領域に、酸素吸収材料、及び壜の首部の上端を当接して受け入れることを意図した密封継手を設けることが知られている。この従来技術では、漏洩の危険性は栓と首部との当接領域に局在するものと仮定されている。
【特許文献１】英国特許第２０１３６３５号公報
【特許文献２】米国特許第４２７９３５０号公報
【特許文献３】米国特許出願公開第２００２／００００４２０号
【発明の開示】
【発明が解決しようとする課題】
【０００５】
本発明のアプローチは上記アプローチとは対照的であり、密封用のスカートが設けられて、その周辺に酸素やその他の気体が存在しても適合可能である栓を提案する。
【０００６】
また、ある種の壜には、非常に酸素に影響を受けやすく、栓が環境中の空気からの酸素の侵入を許した場合に急速に傷みかねない製品が入れられる。
【０００７】
本発明は、気体をその性質毎に区別し、それに対応して各々の気体に適合する解決方法を用い、蓋装置の緊密性の問題を解決するものである。
【課題を解決するための手段】
【０００８】
本発明は、首部を備える容器蓋装置に関するものであり、この装置はこの首部の内表面に対して径方向に当接するための内部スカートが設けられた栓を有しており、その基部の部位には、一つ以上の所定の気体に対して不透過性の材料から成る第一層と、一つ以上の所定の気体を吸収するための材料、好ましくは酸素を吸収するための材料、から製造される第二層とが設けられており、第一層と第二層とが栓の基部に関して一方が他方を覆うように構成されることを特徴とする。
【０００９】
本発明によれば、内部スカートは首部の内表面に対して緊密に当接する機能を、特にＣＯ2に対する緊密性に関して効果的に果たし、第一層と第二層とが組み合わされることによって容器に入っている製品からの酸素を吸収することが可能となる一方で、第一層によって第二層を外部から隔離することが可能となり、その結果、栓の基部から浸透する気体によって吸収材料が飽和されるという危険性がなくなる。実施の際は、層の一方は直接的又は間接的に他方を覆ってもよい。すなわち物質、特に栓の基部の材料、を中間挿入してもよい。
【００１０】
本発明の利点ではあるが必須ではない点によれば、蓋装置は以下の特徴の一つ以上が組み入れられてもよい。
・第一層及び第二層は、少なくともシール用スカートの半径方向内側にに配置される基部の一部の部位において広がっている。
・第一層及び第二層は栓の基部の内表面に固着され、第二層は第一層を覆う。この場合、栓の内表面には前記第一層及び第二層を受け入れる容積を画定するリブを設けてもよい。
・第一層は栓の基部の外表面上に形成される一方、第二層は栓の内表面に形成され、第一層は栓の基部が中間介在されて第二層を覆う。このため、栓の外側にある被覆によって、気体を透過させない障壁が構成される。
・第二層はスカートの半径方向内側に配置される。これにより、この第二層は首部と直接接触することがなくなり、したがって押しつぶされたりせん断される危険性がなくなる。
・第一層及び第二層は異なる材料で形成される。
・第一層は酸化ケイ素、ワニス、又はラッカーを有するか、又は金属被覆によって製造される。
【００１１】
最後に、本発明は、上述のような蓋装置を備える液体用の容器、例えばプラスチック材料で製造される壜に関する。かかる容器によれば、中に入っている製品、特に炭酸飲料を、比較的長期にわたり変質の危険性なしに保存することが可能となる。
【００１２】
本発明は、その原理に係る蓋装置の二つの実施形態の以下の記述に照らして、容易に理解され、その他の利点もより明確となるだろう。以下の記述は、単なる一例として与えられているものに過ぎず、添付の図面を参照して行われる。
【発明を実施するための最良の形態】
【００１３】
［実施例１］
図に示されている蓋装置１は、破断可能部４によって不正開封防止バンド３に結合された栓２を有している。
【００１４】
装置は壜Ｂの首部Ｇに装着されるように設けられており、この首部には外部ねじ山Ｇ1が設けられている一方で、栓にはそれに対応する形状の内部ねじ山２１が設けられている。
【００１５】
栓２の基部が２２で示されている。その内表面２３上、すなわち首部Ｇの内側方向を向いたその表面上で、基部２２には、装置１の対称軸Ｘ−Ｘ’上が中心となるスカート２４が設けられており、首部Ｇの内径表面Ｇ2に対して当接するように設けられる縁部２５が形成されている。
【００１６】
環状リブ２６が表面２３上に形成されており、軸Ｘ−Ｘ’上に中心がある。このリブは、基部２２の表面２３上に二つの層５、６が固着される円盤の形状に領域Ｚ26を画定している。第一層５はエチレンビニルアルコール（ＥＶＯＨ）より構成され、表面２３上に何らかの適切な処理によって付着される。第二層６は、例えば米国特許第４２７９３５０号公報に記載されているような酸素吸収材料で形成される。
【００１７】
実施の際は、ひとたび層５が定位置に置かれたら、層６は領域Ｚ26内に積層成形してもよく、これによって層５を効果的に定位置に維持できる。その場合、例えば、微粉形態の鉄、鉄塩やアスコルビン酸やステアリン酸コバルトのような鉄を含む化合物を考慮してもよい。もしも層６が基部２２に固定される円盤の形状で形成されるのであれば、首部Ｇに存在する自由酸素を「酵素的な」方法によって減少させるために、層６はグルコースオキシダーゼ及び／又はグルコースカタラーゼから製造してもよい。
【００１８】
第一層５によって、第二層６は装置１の外側にある酸素に対して防護され、その結果、層６が酸素で飽和し壜Ｂに入っている液体から放出される可能性のある気体を効果的に吸収できなくなるという危険性がない。
【００１９】
層５、６はリブ２６によって画定された断面円形の体積内に閉じ込められるので、これらの層は首部Ｇに干渉することがなく、特に栓２をねじ込み終える時点やゆるめ始める時点で、押しつぶされたり引き裂かれたりするという危険性がない。
【００２０】
［実施例２］
本発明の第二の実施形態は図３に示されている。第一の実施形態の部材と同じ部材は１００だけ増した特定参照番号を付してある。本実施形態の装置１０１は、破断可能部１０４によって不正開封防止バンド１０３に結合された栓１０２を有している。この装置は、第一に酸素不透過層１０５が栓１０２の基部１２２の外表面１２８に固着された被覆によって形成されている一方で、第二層１０６がこの壜１２２の内表面１２３に対して固着されている点で前実施形態とは異なっている。したがって、層１０５は層１０６を自ら覆う栓１０２の基部１２２を覆っている。
【００２１】
既に述べたように、縁部１２５が設けられたスカート１２４が、壜Bの首部Gに対して当接するようになっている一方で、層１０６は首部Ｇに入っている酸素を効果的に吸収できる。スカート１２４と層１０５との両方により層１０６は外気から隔離されているからである。
【００２２】
層１０５、１０６は特に基部１２２の中央領域全体、すなわち基部のうちスカート１２４の半径方向内側に配置されている部分に広がっている。
【００２３】
被覆層１０５は酸化ケイ素、ワニス、又はラッカーを有してもよい。金属被覆によって製造することも可能である。
【００２４】
層５、１０５は、いずれも同様に、ポリ塩化ビニル（ＰＶＣ）、ポリ塩化ビニリデン（ＰＶＤＣ）、エチレンビニルアルコール（ＥＶＯＨ）、ポリアミド（ＰＡ）、ポリエチレンナフタレート（ＰＥＮ）、ポリビニルアルコール（ＰＶＡ）、ポリアクリルニトリル系アクリラート共重合体（ＰＮＡ）、ポリメタクリル酸メチル（ＰＰＭＡ）、ブタジエン共重合体、スチレン、二軸延伸ポリプロピレン（ＢＯＰＰ）、又はこれらの製品に基づいた混合物から製造してもよい。
【図面の簡単な説明】
【００２５】
【図１】本発明に係る壜の首部に装着された、本発明に係る蓋装置の軸方向断面図である。
【図２】図１の細部IIの拡大図である。
【図３】本発明の第二実施例に係る蓋装置に対する図１と同等な図である。
【図１】
2005519817.tif 000003
【図２】
2005519817.tif 000004
【図３】
2005519817.tif 000005
【国際調査報告】
2005519817.tif 000006
2005519817.tif 000007
2005519817.tif 000008
2005519817.tif 000009
2005519817.tif 000010
2005519817.tif 000011